(57)【要約】【課題】渦巻き状の水引飾りが容易に形成できる製造装置及び製造方法を提供する。さらに、コイル輪の間隔が揃って形状の整ったコイル状の水引飾りが簡単に形成できる製造方法を提供する。【解決手段】対向面を対向させて相対的に接離可能な第１及び第２の規制部２１、２２と、第１の規制部２１に設けられた治具挿通孔２１ａと、治具挿通孔２１ａに端部が挿通可能で、端部に水引１１の先端部を係止可能な係止部を有し、軸線を中心として回転可能な巻き棒３０とを具備することを特徴とする。【選択図】図１
2005082278.tif 000002
【特許請求の範囲】
【請求項１】
対向面を対向させて相対的に接離可能な第１及び第２の規制部と、
第１の規制部に設けられた治具挿通孔と、
該治具挿通孔に端部が挿通可能で、該端部に水引の先端部を係止可能な係止部を有し、軸線を中心として回転可能な巻き棒と
を具備することを特徴とする水引飾りの製造装置。
【請求項２】
前記係止部は、前記巻き棒の端部側に設けられた筒部が部分的に切り欠かれて形成されていることを特徴とする請求項１記載の水引飾りの製造装置。
【請求項３】
前記巻き棒は、ちり棒であることを特徴とする請求項１または２記載の水引飾りの製造装置。
【請求項４】
前記第２の規制部には、前記巻き棒の先端が挿入されるガイド用凹部が設けられていることを特徴とする請求項１〜３のうちのいずれか一項記載の水引飾りの製造装置。
【請求項５】
請求項１〜４のうちのいずれか一項記載の製造装置を用いる水引飾りの製造方法であって、巻き棒の端部を治具挿通孔に挿通し、第１及び第２の規制部間に挿入された水引の先端を係止部に係止し、第１及び第２の規制部を接近させて水引を挟んだ状態で巻き棒をその軸線を中心として回転させることにより、水引を第１及び第２の規制部で規制される平面内で巻回するようにしたことを特徴とする水引飾りの製造方法。
【請求項６】
対向面を対向させて相対的に接離可能、かつ対向面を対向させた状態で相対的に回転可能な第１及び第２の規制部と、
第１の規制部の対向面から突出する軸部を有して、水引の先端部を係止可能に設けられた係止部と、
該係止部を含む第１及び第２の規制部の対向面間に、水引の径と略同一の深さで設けられた凹部と、
該凹部と外方とを連通し、水引を凹部内に導入可能な通路とを具備することを特徴とする水引飾りの製造装置。
【請求項７】
第２の規制部の対向面に、前記軸部の先端が挿入可能なガイド用凹部が設けられていることを特徴とする請求項６記載の水引飾りの製造装置。
【請求項８】
前記第１及び第２の規制部は、同一径の円柱状に形成され、前記軸部は第１の規制部と、前記ガイド用凹部は第２の規制部と、それぞれ軸線を一致させて設けられていることを特徴とする請求項７記載の水引飾りの製造装置。
【請求項９】
前記係止部は、部分的に切り欠かれて形成された前記軸部と、
第１の規制部の対向面側に前記軸部と軸線を同一にして設けられ、軸部の前記切欠部を介して水引の先端が挿入可能な挿入凹部とからなることを特徴とする請求項６〜８のうちのいずれか一項記載の水引飾りの製造装置。
【請求項１０】
請求項６〜９のうちのいずれか一項記載の製造装置を用いる水引飾りの製造方法であって、
水引の先端部を係止部に係止し、互いの対向面を対向させて第１及び第２の規制部を配設し、水引を前記通路より凹部内に導入しながら、前記第１或いは第２の規制部を軸部の軸線を中心として回転させることにより、水引を前記凹部で規制される平面内で巻回するようにしたことを特徴とする水引飾りの製造方法。
【請求項１１】
水引がコイル状に形成されてなる水引飾りの製造方法であって、
水引の紙芯が撚られた方向とは逆方向に、水引を巻き棒に巻き付けて形成することを特徴とする水引飾りの製造方法。
【発明の詳細な説明】
【技術分野】
【０００１】
本発明は、水引飾りの製造装置及びこれを用いた製造方法に関するものである。
【背景技術】
【０００２】
水引を細工して形成した水引飾りは、従来、熨斗袋、結納品、アクセサリー、置物等に広く使用されている。
水引飾りには、針金状の水引を、リング状や螺旋状に形成したものもあるし、これらの水引飾りをさらに組み合わせて、花や鶴等の形状に組み立てたものもある。そして、最近は多様化するニーズにより、斬新なデザインの水引飾りが要求されている。また、手作りされることが多く、時間がかかり高価になりがちな水引飾りを効率良く製造することも要求されている。
【０００３】
例えば、コイル輪１３ａの間隔ｅが揃って整った形のコイルバネ状に、水引１１が型を付けられて形成された水引飾り１３（図８参照）が要求されている。
このような水引飾りを作る道具として従来、図３に示されるようなちり棒３０が広く使用されている。ちり棒３０の先端側に水引１１を隙間無く螺旋状に巻き付けることにより（図１１参照）、水引１１を簡単にコイル状に形成することができる。しかしながら、この方法によって作成された水引飾り１４は、図９に示されるようにコイル輪１４ａが密に集合して間隔の無い螺旋となってしまう。そこで、これを軸線方向に引き延ばして間隔を空けようとすると、コイル輪１５ａの間隔がまちまちで、いびつに広がった水引飾り１５（図１０参照）となってしまう。このようにコイル輪の間隔が揃って整った形のコイルバネ状の水引飾り１３は、従来製造することが難しかった。
【０００４】
また、平面上で渦巻き形に型を付けられた水引飾り（図５）を作る道具はないので、これを製造するには熟練した技術を要することとなり、簡単に製造することができなかった。
【発明の開示】
【発明が解決しようとする課題】
【０００５】
解決しようとする問題点は、間隔の揃ったコイルバネ状の水引飾りを簡単に形成できない点である。さらに、渦巻きバネ状の水引飾りを簡単に形成できない点である。
【課題を解決するための手段】
【０００６】
本発明の水引飾りの製造装置は、対向面を対向させて相対的に接離可能な第１及び第２の規制部と、第１の規制部に設けられた治具挿通孔と、該治具挿通孔に端部が挿通可能で、該端部に水引の先端部を係止可能な係止部を有し、軸線を中心として回転可能な巻き棒とを具備することを特徴とする。
また、前記係止部は、前記巻き棒の端部側に設けられた筒部が部分的に切り欠かれて形成されていることを特徴とする。
【０００７】
また、前記巻き棒は、ちり棒であることを特徴とする。
また、前記第２の規制部には、前記巻き棒の先端が挿入されるガイド用凹部が設けられていることを特徴とする。
【０００８】
前記製造装置を用いる水引飾りの製造方法であって、巻き棒の端部を治具挿通孔に挿通し、第１及び第２の規制部間に挿入された水引の先端を係止部に係止し、第１及び第２の規制部を接近させて水引を挟んだ状態で巻き棒をその軸線を中心として回転させることにより、水引を第１及び第２の規制部で規制される平面内で巻回するようにしたことを特徴とする。
【０００９】
さらに、本発明の製造装置は、対向面を対向させて相対的に接離可能、かつ対向面を対向させた状態で相対的に回転可能な第１及び第２の規制部と、第１の規制部の対向面から突出する軸部を有して、水引の先端部を係止可能に設けられた係止部と、該係止部を含む第１及び第２の規制部の対向面間に、水引の径と略同一の深さで設けられた凹部と、該凹部と外方とを連通し、水引を凹部内に導入可能な通路とを具備することを特徴とする。
また、第２の規制部の対向面に、前記軸部の先端が挿入可能なガイド用凹部が設けられていることを特徴とする。
【００１０】
また、前記第１及び第２の規制部は、同一径の円柱状に形成され、前記軸部は第１の規制部と、前記ガイド用凹部は第２の規制部と、それぞれ軸線を一致させて設けられていることを特徴とする。
また、前記係止部は、部分的に切り欠かれて形成された前記軸部と、第１の規制部の対向面側に前記軸部と軸線を同一にして設けられ、軸部の前記切欠部を介して水引の先端が挿入可能な挿入凹部とからなることを特徴とする。
【００１１】
また、前記製造装置を用いる水引飾りの製造方法であって、水引の先端部を係止部に係止し、互いの対向面を対向させて第１及び第２の規制部を配設し、水引を前記通路より凹部内に導入しながら、前記第１或いは第２の規制部を軸部の軸線を中心として回転させることにより、水引を前記凹部で規制される平面内で巻回するようにしたことを特徴とする。
【００１２】
また、本発明は、水引がコイル状に形成されてなる水引飾りを形成する製造方法であって、水引の紙芯が撚られた方向とは逆方向に、水引を巻き棒に巻き付けて形成することを特徴とする。
【発明の効果】
【００１３】
本発明によれば、渦巻き状の水引飾りが容易に形成できる。
さらに、本発明によれば、コイル輪の間隔が揃って形状の整ったコイル状の水引飾りが簡単に形成できる。
【発明を実施するための最良の形態】
【００１４】
次に本発明による水引飾りの製造装置と製造方法について、実施形態１、２、３及び４を挙げ、それぞれについて図を用いながら説明する。
尚、実施形態１、２及び３は、渦巻き状の水引飾りを製造する製造装置及びこれを用いた製造方法についての具体的な例であり、実施形態４は、コイル状の水引飾りを製造する製造方法についての具体的な例である。
【実施形態１】
【００１５】
本発明の渦巻き状水引飾りの製造装置は、巻き棒、第１の規制部及び第２の規制部からなる。
図２に第１の規制部（図２（ａ））、第２の規制部（図２（ｂ））の平面図を示す。略同一形状の板状に形成される第１の規制部２１と第２の規制部２２は、金属、木、プラスチック等からなり、平面形状が長方形等の矩形に形成されている。第１及び第２の規制部２１、２２の平面形状の大きさは、後述する方法で渦巻き状水引飾りを製造する際に、巻き棒に巻かれた水引が、はみ出ない程度の大きさに形成されるとよい。
【００１６】
第１の規制部２１の中央部には治具挿通孔２１ａが配設され、第２の規制部２２の中央部には、ガイド用凹部２２ａが形成されている。治具挿通孔２１ａは、巻き棒が第１の規制部２１を貫通するための穴であり、第１の規制部２１を貫通した巻き棒が、治具挿通孔２１ａ内でガタつかない状態で、その軸線を回転軸として回転可能な大きさであると良い。これに対してガイド用凹部２２ａは、巻き棒の先端が回転可能に嵌め込まれる形状に形成される。
【００１７】
巻き棒としては、一般に使用されているちり棒が好適である。
図３は、ちり棒３０の概略図であり、図３（ａ）は先端部分を、図３（ｂ）は全体を示している。ちり棒３０は一般的な金属製のものでよく、断面が円形の柱状で、一端側から他端側へ順に爪部３４、筒部３３、縮径部３２及び柄部分３１が形成されている。柄部分３１よりも縮径して形成されている縮径部３２は、縮径部３２と同一径の筒状に形成された筒部３３へと連続している。さらに、筒部３３の先端部分は溝形に半周分切り欠かれて切欠部３５が形成され、残った部分で爪部３４が形成されている。また、筒部３３は、その内部に水引が容易に差し込まれ、さらにその水引が内部で大きく動かないよう、水引の径より若干大きい径に設けられる。
このような形状のちり棒３０は、一般に縮径部３３に水引を螺旋状に巻き付けることにより水引をコイル状に形成する道具として使用されている。  
【００１８】
水引は通常のものでよく、特に限定されるものではない。例えば、和紙を撚って形成した細い紙芯に、直接着色して形成した水引でも、或いは紙芯にアルミニウムを蒸着したプラスチックフィルムや飾り糸を巻き付けて仕上げた水引でもよい。
【００１９】
次に、上記装置を用いて水引が渦巻き状に形成された水引飾りを製造する方法を説明する。尚、ここで渦巻き状とは、平面で螺旋状に巻かれた状態を示す（図５参照）。
図１は、渦巻き状水引飾りの製造方法を示す断面図である。まず、第１の規制部２１の治具挿通孔２１ａにちり棒３０の爪部３４側を挿通させる。そして、図３（ａ）の矢印Ｍで示されるように、水引１１の一端部を、切欠部３５を介してちり棒３０の筒部３３に差し込む。
【００２０】
それから、図１（ｂ）に示されるようにちり棒３０の爪部３４の先端を第２の規制部２２のガイド用凹部２２ａ内に挿入し（参考に水引の無い状態を図１（ａ）に示す）、第１の規制部２１と第２の規制部２２とで水引１１を挟む。第１の規制部２１と第２の規制部２２は、水引１１を挟み込むことにより両者の間に水引１１の径と略同一の距離ｄの間隔を設けて互いに平行に配置されることとなる。
【００２１】
このとき、ちり棒３０の筒部３３の縁３３ａ（図１（ａ）、図３（ａ）参照）が、第１の規制部２１の対向面２１ｂ（第２の規制部２２に対向する面）に略揃うようにするとよい。これにより、水引１１は、筒部３３内に挿入されている一端部側に対して直角方向に切欠部３５から外方へと延設されて、縁３３ａに係止され、良好に一端部側をちり棒３０に固定することができる。
さらに、この水引１１を、第１の規制部２１と第２の規制部２２の間から外方へと延出させ、一端部側から巻取り可能な状態に、水引１１に一定の張力が掛けられるように他端部側を保持する。このとき、他端部側を保持する位置は、ちり棒３０に対して一定の方向となるようにする。一番簡単な保持の方法は、水引の他端部を指で引っ張りながら保持する方法である。
【００２２】
この状態で第１の規制部２１と第２の規制部２２を固定し、ちり棒３０を、その軸線を回転軸として回転させる（図１（ｂ）の矢印Ａ参照）。すると、水引１１は、その他端部側が第１及び第２の規制部間に導入されながら、ちり棒３０の第１の規制部２１と第２の規制部２２の間隔に配置される部位３０ａに巻きつくようになる。第１の規制部２１と第２の規制部２２との間隔の距離ｄは、水引１１の径と略同一に形成されているので、水引１１はちり棒の同一平面内における径方向に重なりながらちり棒に巻きついていくこととなる。このとき、ちり棒３０に密に巻きつくように水引１１の他端部側を保持すると、水引１１に渦巻きの型が確実に付くのでよい。
【００２３】
こうしてちり棒３０を所要数回転させた後、ちり棒３０の先端をガイド用凹部２２ａから取り外し、さらにちり棒３０に巻き付いている水引１１をちり棒３０から１度に引きぬく（このとき水引１１の一端部も筒部３３から引き抜く）。すると、水引の弾力により渦が径方向に広がって、図５に示すような渦巻き輪１１ｂの間に間隔ｊの設けられた渦巻き状の水引飾り１２ができあがる。
【００２４】
渦巻き状水引飾り１２は、水引１１の一端部１１ａ側がちり棒３０の筒部３３に差し込まれていたことに由来して、渦巻きの平面から直角に立設されて形成されるので、渦巻きの巻き始めの径が小さく、整った形に形成される。勿論、この直角に立設される水引の一端部１１ａは、必要に応じて切り取って体裁を整えることができる。
こうして形の整った渦巻き状の水引飾り１２を、簡単な操作によって効率良く製造することができる。
【００２５】
また、第１の規制部２１と第２の規制部２２が固定されるのに対して、ちり棒が回転する場合について説明したが、ちり棒３０に固定された第１の規制部２１と第２の規制部２２が、ちり棒と共に一体的に回転する構成であってもよい。このとき、前述と同様に第１の規制部２１と第２の規制部２２は、水引の径と略同一の間隔を空けて平行に配置され、ちり棒３０に固定される。また、水引は一定の張力が掛けられながら一端部側で巻取られるように他端部側が保持される。
【００２６】
さらに、第１及び第２の規制部２１、２２の両方あるいはどちらか一方が透明であると、ちり棒に水引が巻きつく様子を確認できる。特に第１の規制部２１が透明であると好適である。
【００２７】
さらに、本発明の渦巻き状水引飾りの製造装置及び製造方法は、上記実施形態に限定されるものではない。上記実施形態では、水引の先端部をちり棒に係止するための係止部を、筒部に半周分の切欠部を設けて形成したが、これに限定されるものではない。例えば、筒部の径方向に切欠部が２箇所形成されて、爪部が二股に形成されているものでもよい。しかし、この場合は、水引１１の一端部を二股の爪部の間に挟んで固定するので、水引飾りの渦巻きの平面内に一端部が配置されて巻きの邪魔をし、巻き始めの径が大きくなってしまったり、渦巻きがいびつな形になってしまう。この点、前述のちり棒３０は、巻き始めの径が小さくできる上に形の整った渦巻きができるので有利である。
【００２８】
また、図４に示されるようにガイド用凹部２２ａの代わりに挿通穴２２ｂを第２の規制部２２の中央に設け、巻き棒２９が第１の規制部２１と第２の規制部２２の両方を貫通するように構成してもよい。この場合も前述と同様に、水引１１を挟む第１の規制部２１と第２の規制部２２の間隔に配置される巻き棒２９の部位２９ａに水引１１を巻き付けることで、渦巻き状水引飾りが製造できる（図４（ｂ）参照）。
この際の巻き棒２９は、図４（ｃ）に示されるように先端側の中途部に筒部３３が形成され、筒部３３の一端部（巻き棒の先端側）は溝形に半周分切り欠かれて切欠部３５が形成されている。そして、筒部の縁３３ａが第１の規制部の対向面２１ｂ（第２の規制部に対向する面）に略揃うように（図４（ａ）参照）、巻き棒２９を第１の規制部２１と第２の規制部２２に貫通させるとよい。
【００２９】
渦巻き状水引飾りを製造する際には、前述の実施形態と同様に水引１１の一端部を切欠部３５から筒部３３へと挿入し、縁３３ａに係止して固定する。そして、水引１１を挟んでいる第１の規制部２１と第２の規制部２２の間から水引１１を外方へと延出させ、水引１１に一定の張力が掛かるよう他端部側を保持する。この状態で巻き棒２９を回転させることにより水引１１が巻き棒２９に巻き取られる。この際、第１の規制部２１と第２の規制部２２は、巻き棒２９と一体化されて回転するように構成してもよいし、固定される第１の規制部２１と第２の規制部２２に対して巻き棒２９だけが回転するように構成してもよい。
【実施形態２】
【００３０】
次に図１２、１３を用いて他の実施形態について説明する。図１２は、渦巻き状水引飾りの製造装置の概略図であり、図１３はその断面図である。
第１及び第２の規制部２１、２２を対向させて配置し、第１の規制部２１の治具挿通孔２１ａに巻き棒３０の先端を挿通させて、その先端側で水引１１を巻き付けるという基本的な構成は、前述の実施形態と同様であり、第１の規制部２１に凹部２１ｄを設けたことに特徴がある。従って、第１実施形態で説明したものと同様の作用をなすものについては同一の符号を付して説明を省略する。
【００３１】
巻き棒としては、図３に示して説明したちり棒３０が好適に利用できる。
板状の第１及び第２の規制部２１、２２は、平面形状が四角形に形成されている。第２の規制部２２の、対向面２２ｈ（第１の規制部２１に対向させる面）の中央にはガイド用凹部２２ａが形成され、４隅近くにはそれぞれ円柱状の突起部２２ｆが立設されている。
第２の規制部よりも一回り小さく形成される第１の規制部２１には、中央に治具挿通孔２１ａが貫通して設けられている。また、対向面２１ｂ（第２の規制部２２に対向させる面）には、凹部２１ｄと、溝状の通路２１ｅが形成されている。
【００３２】
凹部２１ｄは、治具挿通孔２１ａを中心とした円盤状に、第１の規制部２１が刳り貫かれて形成され、その深さｋ（図１３（ａ）参照）は、使用する水引１１の径ｍの長さと略同一に形成される。
通路２１ｅは、凹部２１ｄの径方向に形成され、凹部２１ｄの側壁と第１の規制部２１の側面で開口している。またその深さは、凹部２１ｄの深さｋに等しい。
さらに、第１の規制部２１の側面には、突起部２２ｆに対応する位置に、突起部が嵌合する溝部２１ｇが設けられている。
【００３３】
次に、このような構成からなる製造装置を用いて、渦巻き状の水引飾り１２を製造する方法について説明する。  
まず、ちり棒３０の先端側を、第１の規制部２１の治具挿通孔２１ａに挿通させる。そして、前述した方法と同様に、対向面２１ｂ側から水引１１の一端部をちり棒３０の筒部３３に差し込む。
【００３４】
それから、ちり棒３０の先端をガイド用凹部２２ａ内に挿入しながら、対向面２１ｂと対向面２２ｈを密着させて第１及び第２の規制部２１、２２を配設する（参考として水引のない状態を図１３（ａ）に示す）。この際、４つの突起部２２ｆを、それぞれ溝部２１ｇに嵌め込むことにより、治具挿通孔２１ａとガイド用凹部２２ａが連通するように、第２の規制部２２に対して第１の規制部２１を位置合わせすることができる。また、一端部をちり棒３０の係止部に固定した水引１１は、通路２１ｅを介して第１、第２の規制部の間から外方へと延出させ（図１３（ｂ）参照）、一定の張力が掛かるように他端部側を保持する。
【００３５】
この状態で、固定されている第２の規制部２２に対して、ちり棒３０を、その軸線を回転軸として回転させると（図１３（ｂ）の矢印Ａ参照）、水引１１はちり棒３０の凹部２１ｄ内に配置される部位３０ａに巻きつくようになる。このとき、突起部２２ｆと溝部２１ｇとによって構成される固定部によって、第１の規制部２１のちり棒に対する連れ回りを防ぐことができる。
凹部２１ｄの深さｄは、水引１１の径ｍと略同一の長さに形成されているので、水引１１は凹部２１ｄと第２の規制部２２の対向面２２ｈで規制される平面内で巻回されて、渦巻き状になる。こうして、渦巻き状水引飾り１２を簡単に製造することができる。
また、凹部２１ｄの径や深さｄの異なる第１の規制部２１を複数枚備えるとよい。これにより、径の異なる水引に対応することができる。
【００３６】
上記実施形態は様々に設計変更可能である。例えば、凹部２１ｄ及び通路２１ｅは、第２の規制部２２の対向面２２ｈに形成されてもよい。また、第１の規制部を透明の材料で形成すれば、水引１１がちり棒３０に巻きつく様子を確認できるので好適である。
さらに、ちり棒３０を回転させる際の、第１の規制部２１の回転を防ぐ固定部は、上記構成に限定されず、例えば、溝部が貫通穴形状に形成されてもよい。
【実施形態３】
【００３７】
図１４〜図１７に、渦巻き状水引飾りの製造装置の、他の実施形態を示す。図１４は製造装置の形態を示す概略図であり、図１５〜図１７は水引飾りの製造方法を説明する断面図である。
この製造装置５０は、図１４（ａ）に示されるように第１の規制部５１と第２の規制部５２とからなり、実施形態２をさらに改良したもので、第１の規制部５１が実施形態２における第１の規制部と巻き棒の作用をなすことに特徴がある。
【００３８】
第１の規制部５１と第２の規制部５２は、同一径の円柱状に形成され、前述の第１及び第２の規制部と同様に、相対的に接離可能な円形の対向面５１ａ、５２ａを有している。第１及び第２の規制部５１、５２を形成する材料は限定されないが、比較的変形し難く、対向面同士を密着させた状態で円滑に一方を回転させることができる金属が好適である。
第１の規制部５１の対向面５１ａには、第１の規制部５１と軸線を一致させて円柱状に刳り貫かれて形成された挿入凹部６１が設けられている。さらに、対向面５１ａには、第１の規制部５１と軸線を一致させて、挿入凹部６１よりも大径の軸部６０が立設されている（図１５参照）。
【００３９】
軸部６０は、挿入凹部６１を延長させた部分と、径方向に切欠部が設けられて、二分されて形成されている。これにより、挿入凹部６１内に先端部が挿入された水引１１が、軸部６０内の切欠部６０ａを介して外方へと延出可能となっている。
挿入凹部６１の径と、軸部６０の径方向に設けられた切欠部の幅は、水引１１が容易に挿入でき、さらにその水引１１が、挿入凹部６１内と軸部６０内で大きく動かない程度に、水引１１の径より若干大きく形成される。こうして、二分されている軸部６０と、挿入凹部６１とから、前述の実施形態と同様の作用によって水引１１の先端部を係止可能な係止部が形成される。
【００４０】
一方、第２の規制部５２の対向面５２ａには、第２の規制部５２と軸線を一致させて円盤状に凹部５２ｄが形成されている。凹部５２ｄの深さは、使用する水引１１の径ｍの長さと略同一に形成される。
また、凹部５２ｄの底面５２ｅには、ガイド用凹部６２が配設されている。ガイド用凹部６２は、第２の規制部５２と軸線を一致させて形成され、対向面５１ａ、５２ａを密着させた際（図１４（ｂ）、図１７参照）には、ガイド用凹部６２内に軸部６０の先端が回転可能に嵌め込まれる。
さらに、第２の規制部５２の対向面５２ａには、通路５２ｂが形成されている。通路５２ｂは、凹部５２ｄの径方向（第２の規制部５２の径方向）に溝状に形成され、凹部５２ｄの側壁と第２の規制部５２の側面で開口している。また、その深さは、凹部５２ｄと略等しく形成される。
【００４１】
次に、このような構成からなる製造装置５０を用いて、渦巻き状の水引飾り１２を製造する方法について説明する。
まず、図１６に示されるように水引１１の先端部を、軸部６０内を通過させて挿入凹部６１内に挿入し、水引１１を対向面５１ａに沿わせながら製造装置５０の外方に延出させて水引１１の先端部を係止させる。
この状態で、軸部６０をガイド用凹部６２内に挿入して、第１及び第２の規制部５１、５２の対向面５１ａ、５２ａを密着させる。この際、水引１１は通路５２ｂを介して製造装置５０の外方に延出させる（図１７参照）。
このとき、第１の規制部５１の軸線と第２の規制部５２の軸線は一致（図１５、１７の点線Ｓ）し、第１の規制部５１と第２の規制部５２の外周面は上下に揃うようになる。
【００４２】
こうして準備が整ったところで、第２の規制部５２を固定し、第１の規制部５１を、軸部６０を中心として回転させる（図１４（ｂ）矢印参照）。このとき、水引１１は、前述の実施形態と同様に一定の張力が掛かるように保持する。
これにより、水引１１は凹部５２ｄ内に配置される軸部６０に巻き付いて、前述と同様の作用によって渦巻き状の型が付けられる。つまり、水引１１は、第１の規制部５１の対向面５１ａと、第２の規制部５２の凹部５２ｄで規制される平面内で巻き回されて渦巻き状となる。
所定数、第１の規制部５１を回転させたところで、第１の規制部５１と第２の規制部５２を離し、渦巻き状に型が付けられた水引１１を軸部６０から取り外して渦巻き状水引飾り１２が出来あがる。
製造された渦巻き状水引飾り１２は、水引１１の先端部が挿入凹部６１内に差し込まれていたことに由来して、前述の実施形態と同様に渦巻きの平面から直角に立設されて形成される。これにより水引飾り１２は、渦巻きの巻き始めの径が小さく、整った形の渦巻き状に形成できる。
【００４３】
製造装置５０は、部品数が少なく簡単な構成なので、壊れ難く、取扱いも容易である。また、第１の規制部５１を回転させるという簡単な操作で形の整った水引飾りを製造することができる。
また、上記製造装置５０は、係止部の構成等、上記構成に限定されず、その他様々に設計変更可能である。例えば、凹部の形は円盤状に限定されず、様々に設計変更可能である。また、凹部は、軸部を有する第１の規制部の対向面に設けても良い。この場合、水引を凹部内に導入するための通路を、第２の規制部に配設すれば、軸部に水引を巻き付けることができる。
さらに、製造装置５０において第１の規制部５１を回転させる製造方法について述べたが、第１の規制部５１を固定し、第２の規制部５２を回転させてもよい。この場合は、水引１１の他端部側が製造装置に巻きつかないように、通路と共に回転するように設ける。すると、水引１１は、回転する通路５２ｂと共に他端部側が回転して、軸部６０に巻きつくので、渦巻き状の水引飾りを形成できる。
【実施形態４】
【００４４】
次に図８に示されるような間隔ｅが揃ったコイル状水引飾り１３を製造する方法について説明する。ここでコイル状とは、コイルバネ形に巻かれている状態を示す。
コイル状水引飾り１３を製造するにあたり、道具として巻き棒が用いられる。巻き棒としては、図３に示して説明したちり棒３０が好適である。ちり棒３０の構成は、ここでは省略する。
【００４５】
使用する水引は、紙芯１６として図７に示されるように矢印Ｄ方向（右回り）に紙を撚ったものを用いる。紙としては和紙が好適である。
水引は、このような紙芯１６に、直接着色して形成したものでも、或いは紙芯１６にアルミニウムを蒸着したプラスチックフィルムや飾り糸を巻き付けて仕上げたものでもよい。また、このときのプラスチックフィルムや飾り糸の巻き方向は左右どちらでもよい。
【００４６】
製造方法としては、まず、図３（ａ）の矢印Ｍに示されるように、水引１１の一端部を、ちり棒３０の爪部３４の内側から筒部３３に差し込み、筒部３３の縁３３ａに係止して固定する。そして、図６に示されるように、水引１１に一定の張力が掛けられるように水引１１の他端部側を矢印Ｇ（ちり棒３０の軸線に対して略直角）方向へ指で引っ張りながら、ちり棒３０を矢印Ｅ方向（右回り）に回転させる。こうして、水引１１を、ちり棒３０の筒部３３から縮径部３２へと隙間なく、密に巻き付ける。これにより水引１１は、矢印Ｆに示されるような左回りの螺旋状に巻かれる。
ちり棒３０を所望数、回転させたところで、ちり棒３０から、螺旋状に巻き付けた水引１１を１度に引き抜く。すると、最初は、コイル輪１３ａ間に隙間のない、密に集合したコイル形状であった水引が、徐々に伸び始め、その結果、自然に図８に示されるようなコイル輪１３ａが等間隔に配置されたコイル状の水引飾り１３となる。
【００４７】
従来は、水引の紙芯１６が右回りに撚られているのに対して、ちり棒３０を図１１に示されるように左回り（矢印Ｂ方向）に回転させて、水引を右巻き（矢印Ｃ方向）のコイル状に形成していた。そのため、「背景技術」で述べたように等間隔のコイル輪が形成できなかった。
本発明では、紙芯の撚られた方向と、ちり棒の回転方向を同一（右回り）とすることで、紙芯の撚られた方向と水引の巻き方向（左回り）を互いに逆の方向とした。これにより、水引にコイルバネのような良好な弾性が生じて、自然にコイル輪が等間隔に配置されるようになる。
このように本発明によれば、簡単な方法によってコイル輪の間隔が揃ったコイル状水引飾りを形成することができる。
【００４８】
勿論、水引の紙芯が左回りに撚られて形成されている場合は、水引の巻き方向を右回りにするべく、ちり棒の回転方向を左回りとするとよい。
また、水引を巻き付ける巻き棒は、棒状であればよく、ちり棒に限定されない。  
【図面の簡単な説明】
【００４９】
【図１】渦巻き状水引飾りの製造方法を説明する断面図である。
【図２】第１の規制部と第２の規制部の形状を示す平面図である。
【図３】ちり棒の形状を示す概略図である。
【図４】渦巻き状水引飾りの製造方法の他の実施形態を示す断面図である。
【図５】本発明によって製造された渦巻き状水引飾りの概略図である。
【図６】本発明のコイル状水引飾りの製造方法を示す概略図である。
【図７】紙芯の撚り方向を示す概略図である。
【図８】本発明によって製造されたコイル状水引飾りの概略図である。
【図９】コイル輪同士に隙間のない状態の水引飾りの概略図である。
【図１０】コイル輪の間隔が揃っていない状態の水引飾りの概略図である。
【図１１】従来のコイル状水引飾りの製造方法を示す概略図である。
【図１２】水引飾りの製造装置の他の実施形態を示す概略図である。
【図１３】図１２に示した製造装置の断面図である。
【図１４】水引飾りの製造装置の他の実施形態を示す概略図である。
【図１５】水引飾りの製造方法を説明する断面図である。
【図１６】水引飾りの製造方法を説明する断面図である。
【図１７】水引飾りの製造方法を説明する断面図である。
【符号の説明】
【００５０】
１１  水引
１２  渦巻き状水引飾り
１３  コイル状水引飾り
２１  第１の規制部  
２１ａ  治具挿通孔
２２  第２の規制部
２２ａ  ガイド用凹部
２９  巻き棒
３０  ちり棒
３２  縮径部
３３  筒部
３４  爪部  
３５  切欠部  
【図１】
2005082278.tif 000003
【図２】
2005082278.tif 000004
【図３】
2005082278.tif 000005
【図４】
2005082278.tif 000006
【図５】
2005082278.tif 000007
【図６】
2005082278.tif 000008
【図７】
2005082278.tif 000009
【図８】
2005082278.tif 000010
【図９】
2005082278.tif 000011
【図１０】
2005082278.tif 000012
【図１１】
2005082278.tif 000013
【図１２】
2005082278.tif 000014
【図１３】
2005082278.tif 000015
【図１４】
2005082278.tif 000016
【図１５】
2005082278.tif 000017
【図１６】
2005082278.tif 000018
【図１７】
2005082278.tif 000019